(57)【特許請求の範囲】
【請求項１】
ベントナイトに混合してベントナイトスラリーを形成するアルコール製剤であって、
エタノール水溶液を主剤とし、このエタノール水溶液に、前記ベントナイトスラリーの環境保全性及び／又は止水効果の安定性についての機能向上に有効な成分となる無機化合物を、添加してなり、
前記無機化合物が、資化性微生物に対して生育源となる窒素源または硫黄源を含んでなる、硫酸アンモニウム、亜硫酸ナトリウム、硫酸ナトリウムのうちのいずれか一種あるいは二種以上であることを特徴とするベントナイトスラリー用アルコール製剤。
【請求項２】
前記無機化合物が、１．０重量％以上、５．０重量％以下添加されてなる請求項１記載のベントナイトスラリー用アルコール製剤。
【請求項３】
エタノール濃度が４０重量％以上、６０重量％未満である請求項１又は２に記載のベントナイトスラリー用アルコール製剤。
【発明の詳細な説明】
【０００１】
【発明の属する技術分野】
本発明は、土木工事における止水を目的とした止水体や、有害遮蔽体等の形成に好適に用いられるベントナイトスラリーに係り、詳しくはこのベントナイトスラリーの製造に好適に用いられるアルコール製剤に関する。
【０００２】
【従来の技術】
従来、この種のベントナイトスラリーとしては、土とベントナイト粉末、あるいは土とベントナイト泥水とを混合して得られる混合物が用いられている。
このようにして形成されたベントナイトスラリーでは、土に混合されるベントナイトの比率が高められるに連れ、形成されるベントナイトスラリーからなる混合土の強度が低下し、この混合土から形成される止水壁などもその強度が低下してしまうといった問題があった。
【０００３】
このような問題を解決し、得られる止水体の自立強度を高め得るベントナイトスラリーとして、エタノールと水とベントナイトとを混合して調製するエタノール／ベントナイトスラリーがある（特願２０００−２５９８９９）。
このスラリーは、打設時の高い流動性とベントナイトの膨潤抑制が特徴であり、ベントナイト注入量の増加に伴い、エタノールによるベントナイトの圧密効果が向上し、止水体の自立強度及び止水性（不透水性）等が高まるものである。
したがって、このスラリーにあっては、例えば注入装置を利用することにより、空隙部の止水充填やトンネル等の裏込め充填、地盤の岩盤中の亀裂・空隙等の材料としても好適に使用できるものとなっている。
【０００４】
【発明が解決しようとする課題】
このようなエタノール／ベントナイトスラリーは、従来のベントナイトスラリーには見られない優秀な特性を有しているものの、人畜には無害、あるいは毒性が微弱であるとはいえ、アルコール（エタノール）という有機溶剤を多量に用いることから、土中生物体系に変化を招いたり、地下水中に溶解して移動することなどにより、周辺環境に影響を与えたり汚染を招くといったおそれも否定できない。
【０００５】
また、ベントナイトの持つ止水（不透水）効果の安定性には、組成中のアルカリ金属（ナトリウム等）によるイオン結合が大きく関わっていることが知られている。ところが、このベントナイトでは、長期的には組成中のアルカリ金属が周辺に存在するアルカリ土類金属（特に、カルシウム）や３価の鉄（第２鉄）等と置き換わり、止水効果に係わる機能が低下していくと言われている。
【０００６】
このように、前記のエタノール／ベントナイトスラリーでは、環境保全性や止水効果の安定性といった機能において、改良すべき点が残されているのである。
本発明は前記事情に鑑みてなされたもので、その目的とするところは、ベントナイトスラリーの環境保全性や止水効果の安定性といった機能を向上し得るベントナイトスラリー用アルコール製剤を提供することにある。
【０００７】
【課題を解決するための手段】
本発明者らは、環境保全性についての機能向上、及び止水効果の安定性についての機能向上を図るべく、鋭意検討を重ねた結果、前者の環境保全性については、土中に存在する資化性微生物、すなわちエタノール等の有機化合物を迅速に除去・分解するための資化性微生物に対し、生育源となる窒素源や硫黄源を添加するのが有効であり、また後者の止水効果の安定性については、アルカリ土類金属（特にカルシウム）等と優先結合することで、止水効果低減の抑制に効果的な塩を添加することが有効であることを見い出し、しかもこれらは環境への影響がないことを確認し、本発明を完成した。
【０００８】
すなわち、本発明のベントナイトスラリー用アルコール製剤では、ベントナイトに混合してベントナイトスラリーを形成するアルコール製剤であって、エタノール水溶液を主剤とし、このエタノール水溶液に、前記ベントナイトスラリーの環境保全性及び／又は止水効果の安定性についての機能向上に有効な成分となる無機化合物を、添加してなり、前記無機化合物が、資化性微生物に対して生育源となる窒素源または硫黄源を含んでなる、硫酸アンモニウム、亜硫酸ナトリウム、硫酸ナトリウムのうちのいずれか一種あるいは二種以上であることを前記課題の解決手段とした。
【０００９】
このベントナイトスラリー用アルコール製剤によれば、無機化合物としてベントナイトスラリーの環境保全性及び／又は止水効果の安定性についての機能向上に有効な成分である、硫酸アンモニウム、亜硫酸ナトリウム、硫酸ナトリウムのうちのいずれか一種あるいは二種以上を、添加してなるもので、特に窒素源や硫黄源となる硫酸アンモニウムを添加した場合には、これが資化性微生物の生育源となり、資化性微生物の働きを活発化させることなどにより、エタノールの生分解を促進することが可能になる。また、アルカリ土類金属（特にカルシウム）等と優先結合するアルカリ金属の亜硫酸塩（亜硫酸ナトリウム）や硫酸塩（硫酸ナトリウム）を添加した場合には、周辺に存在するアルカリ土類金属等がこれら亜硫酸塩や亜硫酸塩に優先的に結合するようになり、したがってベントナイトの組成中のアルカリ金属がこの周辺に存在するアルカリ土類金属等と置き換わり、止水効果に係わる機能が低下してしまうのを抑制することが可能になる。
【００１０】
本発明に係るベントナイトスラリーの製造方法では、ベントナイトに前記のベントナイトスラリー用アルコール製剤を混合する。
このベントナイトスラリーの製造方法によれば、前記のベントナイトスラリー用アルコール製剤を用いていることにより、エタノールの生分解を促進し、または止水効果に係わる機能が低下してしまうのを抑制することが可能になることから、得られるベントナイトスラリーの環境保全性や止水効果の安定性といった機能を向上させることが可能になる。
【００１１】
【発明の実施の形態】
以下、本発明を詳しく説明する。
本発明のベントナイトスラリー用アルコール製剤は、ベントナイトに混合してベントナイトスラリーを形成するもので、エタノール水溶液を主剤とし、このエタノール水溶液に、前記ベントナイトスラリーの環境保全性及び／又は止水効果の安定性についての機能向上に有効な成分となる無機化合物を、添加してなるものである。
【００１２】
このようなベントナイトスラリー用アルコール製剤は、「アルコール事業法」において定義される「アルコール」の範疇からは外れたもので、かつ、「消防法」において定義される「非危険物」となるのが好ましく、したがってこれらの条件を満足するように、予め製剤化されているのが望ましい。このように製剤化しておけば、特にこれを使用する際、関係者が所轄官庁の使用許可なく、必要の都度、課税なしに取り扱い、消費することができるようになるからである。
【００１３】
主剤となるエタノール水溶液については、前述したように、得られるベントナイトスラリー用アルコール製剤が「アルコール」の範疇からは外れたものとなるよう、本発明では、香料の添加により変性されてなるのが好ましい。
一般に、エタノールがその成分や外形等から、社会通念上もはや「アルコール事業法」において定義される「アルコール」ではなく、他の物品として見なされる（所轄官庁における使用許可の対象から外される）ためには、原則としてメタノール、ベンゾール等の、法で定められた化学物質（不可飲を前提とし容易にアルコールに戻る可能性がない物質、変性剤という）が基準以上使用されている（不可飲措置を施すこと。「変性」という）必要がある。
【００１４】
しかし、人体等への直接的または間接的な摂取、あるいは接触使用するための用途、また、機械洗浄剤等の適用にあたっては、安全性の観点より、香料（フレーバー）を変性剤として基準値以上使用することが認められている。さらに、香料からなる変性剤と、製品の目的とする機能、効果を高める当該化学物質以外の有効成分を、概ね１重量％以上配合されていることが必要とされている。
【００１５】
そこで、本発明のベントナイトスラリー用アルコール製剤においても、環境への影響を最小限に止めるため、前述したように主剤となるエタノール水溶液に香料を添加することにより、「変性」しておく。このようにして変性しておけば、これから得られるベントナイトスラリー用アルコール製剤を用いる際、関係者は所轄官庁の使用許可、および（酒税に相当する）課税なしに、自由に消費が可能となる。
【００１６】
また、エタノール水溶液中のアルコール原料としては、例えば「アルコール事業法」に規定される発酵並びに合成アルコールの９５度品（通常濃度：９５．３アルコール容量％＝９２．９アルコール重量％）（品質グレード：１級、ないしは合成級）が用いられる。
そして、これに前記した所定の香料（フレーバー）を添加して変性を施すとともに、蒸留水（上水道水でも可）を加え、アルコール濃度を例えば６０重量％未満にまで希釈することにより、本発明のベントナイトスラリー用アルコール製剤の好ましい実施形態を構成する、基材となる溶媒が得られる。
【００１７】
アルコール濃度を６０重量％未満まで希釈するのに必要な蒸留水（または上水道水）は、原料のアルコール９５度品の１容に対し０．４７容の割合となる。しかしながら、この希釈に際しては、予め０．４７容の蒸留水に後述する無機化合物を所定量溶解させておくのが好ましく、このようにして無機化合物を添加溶解させた後、前記のアルコール９５度品を注入・撹拌することにより、一様の製剤を調製することができる。
【００１８】
本発明のベントナイトスラリー用アルコール製剤においては、ベントナイトスラリーの環境保全性及び／又は止水効果の安定性についての機能向上に有効な成分となる無機化合物として、アンモニウム塩、亜硫酸塩、硫酸塩、アルカリ金属塩のうちのいずれか一種あるいは二種以上が好適に用いられる。このような無機化合物は、主に前記した二通りの機能のうちの、一方あるいは両方を向上するのに有効な成分となっている。
【００１９】
一つ目は、環境保全性、つまり微生物によるエタノールの分解無害化促進についての機能に対してである。すなわち、従来のエタノール／ベントナイトスラリーでは、アルコール（エタノール）を多量に用いることから、土中生物体系に変化を招いたり、地下水中に溶解して移動することなどにより、周辺環境に影響を与えたり汚染を招くといったおそれが否定できない。そこで、土中に存在する資化性微生物、すなわちエタノール等の有機化合物を迅速に除去・分解するための資化性微生物に対し、生育源となる窒素源や硫黄源を添加するべく、無機化合物として前記のアンモニウム塩や亜硫酸塩、硫酸塩などが添加されるのである。
【００２０】
二つ目は、止水効果の安定性、つまりベントナイトが持つ止水効果の安定持続についての機能に対してである。すなわち、従来のエタノール／ベントナイトスラリーでは、長期的には組成中のアルカリ金属が周辺に存在するアルカリ土類金属（特に、カルシウム）や３価の鉄（第２鉄）等と置き換わり、止水効果に係わる機能が低下する。そこで、周辺に存在するアルカリ土類金属等に対し、これらと優先的に結合するように、無機化合物として該アルカリ土類金属（特にカルシウム）等と優先結合する、前記の亜硫酸塩（亜硫酸ナトリウム）や硫酸塩（硫酸ナトリウム）などが添加されるのである。
【００２１】
ここで、このような機能向上に有効な成分となる無機化合物としては、環境との調和の意味合いから、自然界に存在し、水溶性で、しかも素早く同化できる無機化合物であることが望ましい。このような条件を満たす無機化合物としては、カチオンがアンモニウムやアルカリ金属（特にナトリウム）であり、アニオンが硫酸や亜硫酸である塩が好ましく、したがって前記した硫酸アンモニウムや亜硫酸ナトリウム、硫酸ナトリウムが特に好ましいのである。
【００２２】
また、このようなベントナイトスラリー用アルコール製剤においては、エタノール濃度が４０重量％（≒４７容量％）以上、６０重量％（≒６７容量％）未満であるのが好ましい。４０重量％未満では、このアルコール製剤をベントナイトに混合して使用する際、ベントナイトの膨潤によって得られるベントナイトスラリーの粘度が大きくなり、ポンプ圧送に支障を来すおそれがあるからである。また、６０重量％以上であると、得られるアルコール製剤が「消防法」上の非危険物とならなくなり、その使用に制限が加えられてしまうからである。エタノール濃度が前記の範囲内にあれば、非危険物として制限なく使用することができ、しかもポンプ圧送にも支障を来すことなく良好に用いることができる。ただし、よりベントナイトスラリーに対する流動性や膨潤抑制の効果を高めるためには、６０重量％に近い濃度、例えば５５〜５９重量％程度に調製するのが望ましい
【００２３】
また、前記の無機化合物の添加量としては、調製され得られるベントナイトスラリー用アルコール製剤中において、無機化合物全体の量が１．０重量％以上、５．０重量％以下となるように配合添加されてなるのが好ましい。１．０重量％未満であると、無機化合物を添加することによる前述した効果が十分に得られなくなるおそれがあり、５．０重量％を越えて添加しても、得られる効果が横這いとなり、コストが高くなる分不利になるからである。
【００２４】
また、無機化合物として具体的には、硫酸アンモニウムを０．８重量％以上、亜硫酸ナトリウムまたは硫酸ナトリウム（好ましくは亜硫酸ナトリウム）を０．２重量％以上とするのが好ましい。硫酸アンモニウムを０．８重量％以上添加すれば、特に資化性微生物に対する生育源となる、窒素源や硫黄源の添加量を十分に確保することができ、これにより資化性微生物の働きを活発化させ、エタノールの生分解を十分に促進することができるからである。また、亜硫酸ナトリウム単独、または硫酸ナトリウム単独、またはこれら亜硫酸ナトリウムと亜硫酸ナトリウムとの合計量を０．２重量％以上とすれば、アルカリ土類金属（特にカルシウム）等と優先結合するアルカリ金属の添加量を十分に確保することができ、これによりベントナイトの組成中のアルカリ金属がこの周辺に存在するアルカリ土類金属等と置き換わり、止水効果に係わる機能が低下してしまうのを十分に抑制することができるからである。なお、硫酸ナトリウムや亜硫酸ナトリウムは、そのアニオンである硫酸や亜硫酸が、資化性微生物に対する生育源となる硫黄源となるので、エタノールの生分解促進機能も有するものとなっている。
【００２５】
このような配合からなるベントナイトスラリー用アルコール製剤は、例えば以下の組成となるように調製され、用いられる。
（製剤組成の例）
香料変性アルコール                        ５８．０重量％
蒸留水                                    ４１．０重量％
硫酸アンモニウム                            ０．８重量％
亜硫酸ナトリウム                            ０．２重量％
なお、香料変性アルコールとは、香料が添加されて変性されたエチルアルコールを意味している。また、アルコールに対する変性を行うための香料としては、フレーバー（ＥＤＡ−１７１）［高砂香料工業株式会社製］を用い、これを９５度アルコール２００ｌに対し、２００ｇを添加した。
【００２６】
また、このようにして調製されるベントナイトスラリー用アルコール製剤は、用途や使用環境等に応じて適宜量がベントナイトに混合され、使用される。
このようなベントナイトスラリー用アルコール製剤にあっては、ベントナイトスラリーの環境保全性及び／又は止水効果の安定性についての機能向上に有効な成分となる無機化合物、例えば硫酸アンモニウム、亜硫酸ナトリウム、硫酸ナトリウムのうちのいずれか一種あるいは二種以上を添加してなるので、特に窒素源や硫黄源となる硫酸アンモニウムを添加した場合には、これが資化性微生物の生育源となり、資化性微生物の働きを活発化させることなどにより、エタノールの生分解を促進し、これによって土中生物体系に変化を招いたり、周辺環境に影響を与えたり汚染を招くといったことを防止し、環境保全性を高めることができる。
【００２７】
また、アルカリ土類金属（特にカルシウム）等と優先結合する亜硫酸ナトリウムや硫酸ナトリウムを添加した場合には、特に周辺に存在するアルカリ土類金属等がこれら亜硫酸塩や硫酸塩に優先的に結合するようになり、したがってベントナイトの組成中のアルカリ金属がその周辺に存在するアルカリ土類金属等と置き換わり、止水効果に係わる機能が低下してしまうのを抑制し、止水効果の安定性を高めることができる。
【００２８】
ここで、亜硫酸塩、硫酸塩は、ベントナイトスラリーの使用箇所周辺から溶出してくるカルシウムイオンと強固に結合し、また、水中においては以下の表１（化学便覧（改訂３版）基礎編より）に示すように、低溶解性で安定な物質を形成する。したがって、スラリー構造中にある止水機能性の主体、アルカリ金属（主にナトリウム）の溶出・アルカリ土類金属との置換抑制に有効となる。
【００２９】
【表１】
0004051207.tif 000002
【００３０】
また、このようなベントナイトスラリー用アルコール製剤を用いる本発明のベントナイトスラリーの製造方法にあっては、前記のベントナイトスラリー用アルコール製剤を用いていることにより、エタノールの生分解を促進し、または止水効果に係わる機能が低下してしまうのを抑制することができることから、得られるベントナイトスラリーの環境保全性や止水効果の安定性といった機能を向上させることができる。
【００３１】
（実験例）
次に、実験例によって本発明の作用効果等を説明する。
「実験例１：土中微生物によるアルコール除去効果について」
エタノール／ベントナイトスラリーの土中におけるエタノールの分解性について、純エタノールとの比較試験を以下のようにして行った。
【００３２】
・試験用微生物試料及び試験培地の調製
５００ｍｌ容三角フラスコに滅菌蒸留水を３００ｍｌ入れ、地下１ｍの土壌を１０重量％となるように懸濁させて土壌微生物サンプル（本区分中には、１．５×１０4 個／ｍｌの多様な微生物が存在）を作製した。次に、この土壌微生物サンプル１ｍｌを以下に示すようにして調製した試験培地に添加し、２５℃で静置培養を行った。
前記の試験培地は以下のようにして調製した。
５００ｍｌ容三角フラスコに滅菌蒸留水３００ｍｌを入れ、シリコン栓を施して基本培地とした。そして、この基本培地に、本発明のアルコール製剤を０．１８重量％となるようにして入れ、試験培地とするとともに、同様にして０．６重量％となるように入れ、２種類の試験培地を作製した。また、比較のため、本発明のアルコール製剤に代えて、この製剤を含まないエタノールを０．１８重量％、及び０．６重量％となるようにそれぞれ添加し、２種類の試験培地を別に作製した。さらに、ブランクとして、アルコール製剤もエタノールも添加しない試験培地を作製した。
なお、用いた本発明のアルコール製剤としては、前記の(製剤組成の例）に示した組成のものを用いた。
【００３３】
・試験条件
培養温度：２５℃、試験期間：２カ月間
・分析項目
ａ．エタノールの消長：
試料の採取は、０、２、５、１０、１５、２０、２５、３５、４５、６２日目にそれぞれ１ｍｌずつ行い、採取した試料中のエタノール量をガスクロマトグラフィーで分析し、経時的なエタノール濃度の変化を求めた。得られた結果を図１に示す。なお、図１中においては、本発明のアルコール製剤を用いたものについては製剤エタノールと記し、この製剤を含まないものについては単にエタノールと記した。（濃度については、それぞれその前に記した。）
図１に示した結果より、３０日以降からアルコール濃度の減少、すなわち微生物によるエタノール分解が明確になり、特に０．６重量％に調製したもので、アルコール製剤使用による分解促進効果の優位性が明らかとなった。
【００３４】
ｂ．土壌中の微生物変化：
試料の採取を上項「エタノールの消長」と同期に行い、試料（１ｍｌ）中の微生物の生菌数を以下のようにして計測した。
まず、試料を生理食塩水を用いて希釈した後、ペプトン−酵母エキス寒天培地（１％ペプトン、０．５％酵母エキス、０．５％ＮａＣｌ、１．５％寒天、ｐＨ７．０）に塗布し、その後、３０℃で培養を行ってコロニーを形成させた。次いで、出現したコロニー数を計測するとともに、寒天培地上のコロニーの特徴を写真として記録した。計測結果を図２に示す。
図２に示した結果より、微生物生菌の増殖には、エタノールの消長との相関が認められ、エタノール分解が顕著なアルコール製剤使用のもの（特に０．６重量％に調製したもの）では、エタノールのみのもの（０．６重量％に調製したもの）に比較して、経時的増加が明らかであった。
【００３５】
また、写真を観察した結果、エタノール分解に伴う微生物相の変化は、エタノール製剤使用のもの（０．６重量％に調製したもの）では、培養開始時に出現した様々なコロニーが、培養１０日目から変化し始め、４５及び６２日目では２種類のコロニー、特に小さなコロニーを形成する細菌が主要となった。このコロニー形態は、アルコールの分解が緩慢なエタノールのみのもの（０．６重量％に調製したもの）である場合の形態とは大きく相違することが分かった。
したがって、この写真観察の結果より、土壌へのアルコール製剤の添加が、培養日数の経過とともにエタノール分解微生物（資化性微生物）の生育を促進し、かつ、土壌中の微生物群のエネルギー源を供給する機能を果たしていることが確認された。
【００３６】
以上のように、この土中微生物によるアルコール除去効果について実験例１より、土壌中の菌の増殖及びエタノールの分解（分解速度、分解率）に対し、本発明のアルコール製剤とこれを含まないエタノールとの間には顕著な差が認められ、本発明のアルコール製剤の優秀性が明らかとなった。
すなわち、アルーコール製剤により、土壌中の微生物相変化が起こり、エタノール分解微生物の生育が促進される。
また、培養日数の経過とともに土壌中の生菌数の増加が認められ、エタノール分解が促進されていく一方で、高性能液体クロマトグラフィーによる分析結果より、エタノール消費に伴う有機酸等顕著な代謝物の蓄積が観察されないことから、土壌微生物群により、エタノールがエネルギー源として効率よく無機化されていると考えられる。
【００３７】
「実験例２：製剤にて調製したベントナイトスラリーの止水効果の安定性について」
本発明のアルコール製剤を用いたエタノール／ベントナイトスラリーの止水効果について、以下のようにしてその透水性を評価することで、実用性を検討した。
前記の（製剤組成の例）に示した組成のアルコール製剤と、６０重量％エタノールとを用い、これらをそれぞれベントナイトに混合し、（液／固）の比が（１００／１００）のエタノール／ベントナイトスラリーを作製した。
一夜静置した後、含水比２０％の豊浦砂に、ベントナイト量がこの砂１００ｇに対し１０ｇとなるようにして、作製したエタノール／ベントナイトスラリーをそれぞれ加え、これを樹脂製の袋の中に入れた。続いて、二種類の袋の中をそれぞれ手で十分に混合し、（エタノール／ベントナイト／砂）の混合物を均一化した。なお、混合物については、本発明のアルコール製剤を用いたものと、６０重量％エタノールのものをそれぞれ二つずつ作製した。
次いで、作製した混合物をそれぞれ２連の透水試験器（内径：１００ｍｍ、高さ：５０ｍｍ）に充填し、動水勾配４０で純水を下から通水して試験を行った。
流出液をガラス瓶に受け、質量・密度を測定して質量を体積に換算し、透水係数を計算した。
試験期間は１１２日間（≒２７００時間）とした。
得られた結果を図３に示す。
【００３８】
図３に示した結果より、本発明のアルコール製剤を用いたもの（図３（ａ）、（ｂ））、６０重量％エタノールを用いたもの（図３（ｃ）、（ｄ））のいずれも、その透水係数が１．３〜２．３×１０-8（＜１０-7：止水用クレーライナーとしての有効値）で推移した。したがって、本発明のアルコール製剤を用いたエタノール／ベントナイトスラリーは、ベントナイトスラリーとして十分実用可能であることが確認された。
【００３９】
【発明の効果】
以上説明したように本発明のベントナイトスラリー用アルコール製剤は、無機化合物としてベントナイトスラリーの環境保全性及び／又は止水効果の安定性についての機能向上に有効な成分である、硫酸アンモニウム、亜硫酸ナトリウム、硫酸ナトリウムのうちのいずれか一種あるいは二種以上を、添加してなるものである。したがって、特に窒素源や硫黄源となる硫酸アンモニウムを添加した場合には、これが資化性微生物の生育源となり、資化性微生物の働きを活発化させることなどにより、エタノールの生分解を促進し、これによって土中生物体系に変化を招いたり、周辺環境に影響を与えたり汚染を招くといったことを防止し、環境保全性を高めることができる。
また、従来のエタノール／ベントナイトスラリーでは、長期的には組成中のアルカリ金属が周辺に存在するアルカリ土類金属（特に、カルシウム）や３価の鉄（第２鉄）等と置き換わり、止水効果に係わる機能が低下する。そこで、特にアルカリ土類金属（特にカルシウム）等と優先結合するアルカリ金属の亜硫酸塩（亜硫酸ナトリウム）や硫酸塩（硫酸ナトリウム）を添加した場合には、周辺に存在するアルカリ土類金属等がこれら亜硫酸塩や亜硫酸塩に優先的に結合するようになり、したがってベントナイトの組成中のアルカリ金属がこの周辺に存在するアルカリ土類金属等と置き換わり、止水効果に係わる機能が低下してしまうのを抑制し、止水効果の安定性を高めることができる。
このように、本発明のベントナイトスラリー用アルコール製剤によれば、エタノール水溶液に無機化合物を添加してなることにより、この製剤を用いて形成したベントナイトスラリーの機能を向上することができる。
【００４０】
本発明のベントナイトスラリーの製造方法は、前記のベントナイトスラリー用アルコール製剤を用いてなるものであるから、エタノールの生分解を促進し、または止水効果に係わる機能が低下してしまうのを抑制することができ、これにより得られるベントナイトスラリーの環境保全性や止水効果の安定性といった機能を向上させることができる。
【図面の簡単な説明】
【図１】  エタノール分解に及ぼすアルコール製剤の添加効果を示すグラフである。
【図２】  土壌微生物相に及ぼすアルコール製剤の添加効果を示すグラフである。
【図３】  透水試験結果を示すグラフであり、（ａ）、（ｂ）は本発明のアルコール製剤を用いたものについての結果を示すグラフ、（ｃ）、（ｄ）６０重量％エタノールを用いたものについての結果を示すグラフである。
【図１】
0004051207.tif 000003
【図２】
0004051207.tif 000004
【図３】
0004051207.tif 000005